(57)【要約】本発明は、ワムシの高密度培養及びその卵の自動収集装置並びに収集方法を提供する。装置は、養殖水槽と、外層濾過網と、内層濾過網と、汚水排出管と、卵及び幼虫自動収集器と、反動式回転給水管とを含み、原水は反動式回転給水管を介して養殖水槽中に入り、出水水流の作用下で回転して内、外層濾過網を洗い流し、ワムシの卵及び幼虫は外層濾過網を通過して内外層濾過網の間に入り、内外層濾過網の挟層の底部から卵及び幼虫自動収集器内に入り、養殖汚水は順に外層、内層濾過網を通過して養殖槽の中央の汚水排出管から排出され、卵及び幼虫自動収集器から排出された汚水と合流して総汚水排出管に入る。本発明は、循環水又は流水式養殖システムと組み合わせてワムシの高密度培養、並びに卵及び幼虫の自動収集を実現することができる。【選択図】図１
2021523681.tif 000002
【特許請求の範囲】
【請求項１】
ワムシの高密度培養及びその卵の自動収集装置であって、
養殖水槽（１）と、外層濾過網（２）と、内層濾過網（３）と、反動式回転給水管（４）と、卵及び幼虫自動収集器（５）とを含み、
養殖水槽（１）内に独立した収集チャンバ（１０）が設けられ、前記外層濾過網（２）及び内層濾過網（３）は、それぞれ養殖水槽（１）内に取り付けられるとともに、収集チャンバ（１０）の上方に位置し、前記外層濾過網（２）と内層濾過網（３）との間に前記収集チャンバ（１０）に連通する排水孔（９）が形成され、前記外層濾過網（２）の外周には、養殖水槽（１）内に取り付けられた曝気管（１３）が設けられ、
前記反動式回転給水管（４）は、養殖水槽（１）の上方に固定された給水管（４０１）及び水流の反動作用により回転可能な支管（４０２）を含み、前記支管（４０２）は、外層濾過網（２）と内層濾過網（３）との間に位置するとともに、前記給水管（４０１）に連通し、支管（４０２）には通孔Ａが形成され、
前記卵及び幼虫自動収集器（５）は、緩衝槽（５０１）と、収集槽（５０２）と、卵及び幼虫収集管コンポーネント（５０３）と、電動弁（５０４）と、液位スイッチ（５０５）と、制御器（５０６）とを含み、
前記収集槽（５０２）は、緩衝槽（５０１）内に取り付けられ、底部に開口が形成され、濾過網が取り付けられ、前記収集槽（５０２）は、収集管（１１）により収集チャンバ（１０）に連通し、収集槽（５０２）内に前記制御器（５０６）に接続された液位スイッチ（５０５）が設けられ、
前記卵及び幼虫収集管コンポーネント（５０３）の一端は、収集槽（５０２）内に挿入され、収集槽（５０２）の底部濾過網の上方に位置するとともに、通孔Ｂ（５０３２）が形成され、前記卵及び幼虫収集管コンポーネント（５０３）の他端は、自由端であり、前記自由端には、前記制御器（５０６）に接続された電動弁（５０４）が設けられることを特徴とする、ワムシの高密度培養及びその卵の自動収集装置。
【請求項２】
前記卵及び幼虫収集管コンポーネント（５０３）の一端に形成された通孔Ｂ（５０３２）は、収集槽（５０２）の底部濾過網に近い側に位置することを特徴とする、請求項１に記載のワムシの高密度培養及びその卵の自動収集装置。
【請求項３】
前記支管（４０２）は２本あり、
各前記支管（４０２）の上端は、互いに連通するとともに、前記給水管（４０１）に回転可能に接続され、
各前記支管（４０２）にはそれぞれ通孔Ａが形成されることを特徴とする、請求項１に記載のワムシの高密度培養及びその卵の自動収集装置。
【請求項４】
各前記支管（４０２）には、それぞれ高さ方向に沿って２列の通孔Ａが形成され、そのうちの１列は、前記外層濾過網（２）に向かっており、もう１列は、前記内層濾過網（３）に向かっており、
各前記支管（４０２）における２列の通孔Ａの中心線は、水平面への投影の夾角が９０°であり、
２本の前記支管（４０２）に形成された通孔Ａの方向は、１８０°相違することを特徴とする、請求項３に記載のワムシの高密度培養及びその卵の自動収集装置。
【請求項５】
前記養殖水槽（１）内の底部には、雌ネジ継手（７）及び前記雌ネジ継手（７）の内側に位置する雄ネジ継手（８）が取り付けられ、
前記雌ネジ継手（７）は内面にネジ山が形成され、前記外層濾過網（２）にネジ接続され、前記雄ネジ継手（８）は外面にネジ山が形成され、前記内層濾過網（３）にネジ接続され、
前記曝気管（１３）は、雌ネジ継手（７）の外側に位置することを特徴とする、請求項１に記載のワムシの高密度培養及びその卵の自動収集装置。
【請求項６】
前記養殖水槽（１）の底部は、外から内へ下向きに傾斜する斜面であり、
前記斜面には、汚水排出口（６）が形成されることを特徴とする、請求項１に記載のワムシの高密度培養及びその卵の自動収集装置。
【請求項７】
前記内層濾過網（３）内の底部は、汚水排出管により緩衝槽（５０１）の内部に連通するとともに、総汚水排出管に連通することを特徴とする、請求項１に記載のワムシの高密度培養及びその卵の自動収集装置。
【請求項８】
前記卵及び幼虫収集管コンポーネント（５０３）の一端は、並列に配置された複数本の卵及び幼虫収集管（５０３１）であり、他端は、輸送管（５０３３）であり、
各本の卵及び幼虫収集管（５０３１）の底面には、それぞれ長さ方向に沿って複数の通孔Ｂ（５０３２）が設けられ、各前記卵及び幼虫収集管（５０３１）は、それぞれ輸送管（５０３３）の一端に連通し、前記輸送管（５０３３）の他端には、前記電動弁（５０４）が設けられることを特徴とする、請求項１に記載のワムシの高密度培養及びその卵の自動収集装置。
【請求項９】
請求項１から８のいずれか１項に記載のワムシの高密度培養及びその卵の自動収集装置の収集方法であって、
ワムシを前記養殖水槽（１）の内壁と外層濾過網（２）の外面との間の水中で培養し、虫体から離れた卵及び孵化幼虫が前記外層濾過網（２）を通過して外層濾過網（２）と内層濾過網（３）との間に入り、さらに前記排水孔（９）から収集チャンバ（１０）に入り、前記収集管（１１）を通過して収集槽（５０２）に入り、卵及び孵化幼虫が前記収集槽（５０２）の底部の濾過網を通過することができず、
前記収集槽（５０２）内の液位が上昇して液位スイッチ（５０５）をトリガーすると、前記電動弁（５０４）が起動し、卵及び幼虫が水圧差の作用下で吸い出され、次の収集装置に入り、それに伴い、液位が低下し、１回の自動収集過程が完成することを特徴とする、収集方法。
【発明の詳細な説明】
【技術分野】
【０００１】
本発明は、水産養殖分野に属し、具体的にはワムシの高密度培養及びその卵の自動収集装置並びに収集方法に関する。
【背景技術】
【０００２】
温度の急激な変化、不十分な栄養素、水質の悪化、重金属の刺激など、環境条件が急激に変化したり、不利な要因が発生したりすると、ワムシは休眠卵を生んで不利な環境に対処する。休眠卵の形成は、ワムシ生命周期において顕著な特徴の一つである。休眠卵のような自己保護メカニズムは、水産養殖にとって非常に重要である。幼魚、稚エビなどが孵化されたばかりの期間における初期餌料の不足は養殖業者にとって難しい問題である。ワムシの生産シーズン中にワムシの休眠卵を収集し、それらの便利な保存特性を利用することで、繁殖期の初期餌料の不足の問題を解決することができる。また、休眠卵は、ワムシ類を保護する最も簡単で効果的な方法の一つでもある。しかしながら、ワムシ休眠卵を収集するための自動化収集装置がなく、収集過程には時間及び労力がかかる。
【発明の概要】
【発明が解決しようとする課題】
【０００３】
ワムシ休眠卵の収集作業に存在する上記問題を解決するために、本発明は、ワムシの高密度培養及びその卵の自動収集装置並びに収集方法を提供することを目的とする。上記装置は、貝類幼虫の変態初期の高密度循環水培養にも適用する。
【課題を解決するための手段】
【０００４】
上記目的を達成するための本発明に係るワムシの高密度培養及びその卵の自動収集装置であって、
養殖水槽と、外層濾過網と、内層濾過網と、反動式回転給水管と、卵及び幼虫自動収集器とを含み、
養殖水槽内に独立した収集チャンバが設けられ、前記外層濾過網及び内層濾過網は、それぞれ養殖水槽内に取り付けられるとともに、収集チャンバの上方に位置し、前記外層濾過網と内層濾過網との間に前記収集チャンバに連通する排水孔が形成され、前記外層濾過網の外周には、養殖水槽内に取り付けられた曝気管が設けられ、
前記反動式回転給水管は、養殖水槽の上方に固定された給水管及び水流の反動作用により回転可能な支管を含み、前記支管は、外層濾過網と内層濾過網との間に位置するとともに、前記給水管に連通し、支管には通孔Ａが形成され、
前記卵及び幼虫自動収集器は、緩衝槽と、収集槽と、卵及び幼虫収集管コンポーネントと、電動弁と、液位スイッチと、制御器とを含み、
前記収集槽は、緩衝槽内に取り付けられ、底部に開口が形成され、濾過網が取り付けられ、前記収集槽は、収集管により収集チャンバに連通し、収集槽内に前記制御器に接続された液位スイッチが設けられ、
前記卵及び幼虫収集管コンポーネントの一端は、収集槽内に挿入され、収集槽の底部濾過網の上方に位置するとともに、通孔Ｂが形成され、前記卵及び幼虫収集管コンポーネントの他端は、自由端であり、前記自由端には、前記制御器に接続された電動弁が設けられる。
【０００５】
前記卵及び幼虫収集管コンポーネントの一端に形成された通孔Ｂは、収集槽の底部濾過網に近い側に位置する。
【０００６】
前記支管は２本あり、
各前記支管の上端は、互いに連通するとともに、前記給水管に回転可能に接続され、
各前記支管にはそれぞれ通孔Ａが形成される。
【０００７】
各前記支管には、それぞれ高さ方向に沿って２列の通孔Ａが形成され、そのうちの１列は、前記外層濾過網に向かっており、もう１列は、前記内層濾過網に向かっており、
各前記支管における２列の通孔Ａの中心線は、水平面への投影の夾角が９０°であり、
２本の前記支管に形成された通孔Ａの方向は、１８０°相違する。
【０００８】
前記養殖水槽内の底部には、雌ネジ継手及び前記雌ネジ継手の内側に位置する雄ネジ継手が取り付けられ、
前記雌ネジ継手は内面にネジ山が形成され、前記外層濾過網にネジ接続され、前記雄ネジ継手は外面にネジ山が形成され、前記内層濾過網にネジ接続され、
前記曝気管は、雌ネジ継手の外側に位置する。
【０００９】
前記養殖水槽の底部は、外から内へ下向きに傾斜する斜面であり、
前記斜面には、汚水排出口が形成される。
【００１０】
前記内層濾過網内の底部は、汚水排出管により緩衝槽の内部に連通するとともに、総汚水排出管に連通する。
【００１１】
前記卵及び幼虫収集管コンポーネントの一端は、並列に配置された複数本の卵及び幼虫収集管であり、他端は、輸送管であり、
各本の卵及び幼虫収集管の底面には、それぞれ長さ方向に沿って複数の通孔Ｂが設けられ、各前記卵及び幼虫収集管は、それぞれ輸送管の一端に連通し、前記輸送管の他端には、前記電動弁が設けられる。
【００１２】
ワムシの高密度培養及びその卵の自動収集装置の収集方法であって、
ワムシを前記養殖水槽の内壁と外層濾過網の外面との間の水中で培養し、虫体から離れた卵及び孵化幼虫が前記外層濾過網を通過して外層濾過網と内層濾過網との間に入り、さらに前記排水孔から収集チャンバに入り、前記収集管を通過して収集槽に入り、卵及び孵化幼虫が前記収集槽の底部の濾過網を通過することができず、
前記収集槽内の液位が上昇して液位スイッチをトリガーすると、前記電動弁が起動し、卵及び幼虫が水圧差の作用下で吸い出され、次の収集装置に入り、それに伴い、液位が低下し、１回の自動収集過程が完成する。
【発明の効果】
【００１３】
本発明は以下の利点及び有益な効果を有する。
１.  本発明の自動収集装置は、内、外層濾過網セットの設計により、外層濾過網の面積が増大され、連続培養の周期が効果的に延長される。
２.  本発明の支管は、反動式給水の設計を採用し、給水すると同時に継続的に内、外層濾過網を洗浄することにより、濾過網の汚損が効果的に回避され、連続培養の周期が効果的に延長される。
３.  本発明は、内、外層濾過網の異なるメッシュの篩絹の設計を採用し、卵と汚水を分流して処理することにより、濾過網の汚損が減少され、水の再利用が達成される。
４.  本発明の収集方法は、操作が簡単で、制御されやすい。
【図面の簡単な説明】
【００１４】
【図１】本発明の自動収集装置の全体構造の模式図である。
【図２】本発明の自動収集装置における養殖水槽の構造の上面図である。
【図３】本発明の自動収集装置における卵及び幼虫収集管コンポーネントの構造の仮面図である。
【図４】本発明の自動収集装置における支管の構造の正面図である。
【図５】図４の左面図である。
【発明を実施するための形態】
【００１５】
以下、図面を参照しながら本発明をさらに説明する。
【００１６】
図１から５に示すように、本発明の自動収集装置は、養殖水槽１と、外層濾過網２と、内層濾過網３と、反動式回転給水管４と、卵及び幼虫自動収集器５とを含む。養殖水槽１は、頂部が開口する円柱状であり、底部は、外から内へ下向きに傾斜する錐形斜面である。養殖水槽１内の最底部の下方には独立した収集チャンバ１０が設けられる。外層濾過網２及び内層濾過網３はそれぞれ養殖水槽１に取り付けられるとともに、収集チャンバ１０の上方に位置する。上記外層濾過網２と内層濾過網３はいずれも円柱状であり、同心に配置される。本実施例の外層濾過網２は、直径２５０ｍｍ又は３００ｍｍの雄ネジ（即ち、底部の外面に雄ネジ）を有する国家標準ＰＶＣ管で作製されたフレーム及びナイロン篩絹Ａから構成される。内層濾過網３は、直径１６０ｍｍの雌ネジ（即ち、底部の内面に雌ネジ）を有する国家標準ＰＶＣ管で作製されたフレーム及びナナイロン篩絹Ｂから構成される。養殖水槽１内の底部には雌ネジ継手７及び上記雌ネジ継手７の内側に位置する雄ネジ継手８が取り付けられ、雌ネジ継手７は内面にネジ山が形成され、外層濾過網２の底部の雄ネジに接続される。雄ネジ継手８は外面にネジ山が形成され、内層濾過網３の底部の雌ネジに接続される。雌ネジ継手７の外側において、外層濾過網２の底部のエッジに近い斜面には環状の曝気管１３が設けられる。養殖水槽１の底部の斜面において、外層濾過網２の底部のエッジに近い外側には汚水排出口６が設けられる。上記汚水排出口６にバルブ付きの汚水排出管Ｃ１４が接続され、養殖水槽１中の汚水及び不純物を総汚水排出管に排出することができる。
【００１７】
反動式回転給水管４は、養殖水槽１の上方に固定された給水管４０１及び水流の反動作用により回転可能な支管４０２を含む。上記支管４０２は、外層濾過網２と内層濾過網３との間に位置し、給水管４０１に連通する。支管４０２には通孔Ａが形成される。本実施例の支管４０２は２本あり、この２本の支管４０２の上端は互いに連通し、給水管４０１に回転可能に接続される。各支管４０２にはいずれも通孔Ａが形成される。各支管４０２にはそれぞれ高さ方向に沿って２列の通孔Ａが形成され、各列の通孔Ａは、数が同じであり、高さが一致する。そのうちの１列の通孔Ａは外層濾過網２に向かっており、もう１列は内層濾過網３に向かっている。各支管４０２における２列通孔Ａの中心線は、水平面への投影の夾角が９０°であり、両本の支管４０２に形成された通孔Ａの方向は１８０°相違する。即ち、図４、図５に示すように、各支管４０２には２列の通孔Ａが設けられ、そのうちの１列は外層濾過網に向かっている通孔Ａ４０３であり、もう１列は内層濾過網に向かっている通孔Ａ４０４である。外層濾過網に向かっている通孔Ａ４０３の中心線の水平面への投影と内層濾過網に向かっている通孔Ａ４０４の中心線の水平面への投影との夾角は９０°である。また、そのうちの１本の支管４０２に形成された通孔Ａの方向を１８０°回転させると、もう１本の支管４０２に形成された通孔Ａの方向となる。
【００１８】
外層濾過網２と内層濾過網３との間において、円周方向に沿って収集チャンバ１０に連通する複数の排水孔９が均等に形成される。排水孔９の下方は排出された水を収集する収集チャンバ１０である。内層濾過網３内の底部の中央に汚水排出管Ａ１２が連通する。上記汚水排出管Ａ１２は、下向きに収集チャンバ１０を通過し、収集チャンバ１０に連通しない。
【００１９】
卵及び幼虫自動収集器５は、緩衝槽５０１と、収集槽５０２と、卵及び幼虫収集管コンポーネント５０３と、電動弁５０４と、液位スイッチ５０５と、制御器５０６とを含む。上記収集槽５０２は、緩衝槽５０１内に取り付けられ、底部に開口が形成され、濾過網（本実施例の濾過網はナイロン篩絹Ｃである）が形成される。収集槽５０２は、収集管１１により収集チャンバ１０に連通する。収集槽５０２内に制御器５０６に接続された液位スイッチ５０５が設けられる。卵及び幼虫収集管コンポーネント５０３の一端は、収集槽５０２内に挿入され、収集槽５０２の底部濾過網の上方に位置し、収集槽５０２の底部濾過網に近い側に通孔Ｂ５０３２が形成される。上記卵及び幼虫収集管コンポーネント５０３の他端は自由端であり、上記自由端には制御器５０６に接続された電動弁５０４が取り付けられる。緩衝槽５０１には汚水排出管Ｂ５０７が連通する。上記汚水排出管Ｂ５０７の一端は、緩衝槽５０１の内部に連通し、他端は、汚水排出管Ａ１２と合流して総汚水排出管に接続される。卵及び幼虫収集管コンポーネント５０３の一端は、並列に配置された複数本の卵及び幼虫収集管５０３１であり、各卵及び幼虫収集管５０３１は、収集槽５０２の底部のナイロン篩絹Ｃを均等に覆う。卵及び幼虫収集管コンポーネント５０３の他端は、輸送管５０３３であり、各卵及び幼虫収集管５０３１上の底面には、それぞれ長さ方向に沿って複数の通孔Ｂ５０３２が設けられ、各卵及び幼虫収集管５０３１はそれぞれ輸送管５０３３の一端に連通する。上記輸送管５０３３の他端には電動弁５０４が設けられる。
【００２０】
本発明の収集方法であって、
給水管４０１、支管４０２及び支管４０２に形成された通孔Ａにより養殖水槽１内に必要な原水を注入し、注水過程において、支管４０２は、水流の反動作用により回転することで外層濾過網２と内層濾過網３を継続的に洗浄することができる。ワムシは養殖水槽１の内壁と外層濾過網２の外面との間の水中で培養され、虫体から離れた卵及び孵化幼虫は、内層濾過網３の内部に入らず、上記外層濾過網２を通過して外層濾過網２と内層濾過網３との間に入り、さらに排水孔９から収集チャンバ１０に入り、収集管１１を通過して収集槽５０２に入る。卵及び孵化幼虫は収集槽５０２の底部の濾過網を通過することができない。収集槽５０２内の液位が上昇して液位スイッチ５０５をトリガーすると、電気信号を制御器５０６に送信し、制御器５０６は電動弁５０４を起動させ、卵及び幼虫は水圧差の作用下で吸い出され、次の収集装置に入り、それに伴い、液位は低下し、１回の自動収集過程が完成する。一方、養殖汚水は、順に外層濾過網２、内層濾過網３を通過し、汚水排出管Ａ１２から排出される。卵及び幼虫自動収集器５により産生する汚水は、汚水排出管Ｂ５０７から排出される。汚水排出管Ａ１２と汚水排出管Ｂ５０７内の汚水は合流して総汚水排出管に入る。養殖水槽１内の汚物は汚水排出口６より汚水排出管Ｃ１４を介して排出することもできる。
【００２１】
本発明は、循環水又は流水式養殖システムと組み合わせてワムシの高密度培養、並びに卵及び幼虫の自動収集を実現することができる。
【符号の説明】
【００２２】
１  養殖水槽、
２  外層濾過網、
３  内層濾過網、
４  反動式回転給水管、
４０１  給水管、
４０２  支管、
４０３  外層濾過網に向かっている通孔Ａ、
４０４  内層濾過網に向かっている通孔Ａ、
５  卵及び幼虫自動収集器、
５０１  緩衝槽、
５０２  収集槽、
５０３  卵及び幼虫収集管コンポーネント、
５０３１  卵及び幼虫収集管、
５０３２  通孔Ｂ、
５０３３  輸送管、
５０４  電動弁、
５０５  液位スイッチ、
５０６  制御器、
５０７  汚水排出管Ｂ、
６  汚水排出口、
７  雌ネジ継手、
８  雄ネジ継手、
９  排水孔、
１０  収集チャンバ、
１１  収集管、
１２  汚水排出管Ａ、
１３  曝気管、
１４  汚水排出管Ｃ。
【図１】
2021523681.tif 000003
【図２】
2021523681.tif 000004
【図３】
2021523681.tif 000005
【図４】
2021523681.tif 000006
【図５】
2021523681.tif 000007
【国際調査報告】
2021523681.tif 000008
2021523681.tif 000009
2021523681.tif 000010
2021523681.tif 000011
2021523681.tif 000012
2021523681.tif 000013